(57)【要約】【課題】  軌道情報をプッシュするための方法及び装置を提供する。【解決手段】  本発明の実施形態は、クライアントによって送信されたキーワードを受信するステップと、履歴軌道情報に従って、キーワードに一致する推奨された軌道情報を取得するステップであって、履歴軌道情報は、クライアントが位置する端末に関する履歴軌道情報、及びクライアントが位置する端末以外の端末に関する履歴軌道情報を含むステップと、推奨された軌道情報を、クライアントにプッシュするステップとを含む、軌道情報をプッシュするための方法を提供する。本発明の実施形態はまた、軌道情報をプッシュするための装置を提供する。本発明の実施形態において提供される技術的解決策に従って、プッシュされた軌道情報の信頼性を保証することができる。【選択図】      図２
2016024807.tif 000002
【特許請求の範囲】
【請求項１】
軌道情報をプッシュするための方法であって、
クライアントによって送信されたキーワードを受信するステップと、
履歴軌道情報に従って、前記キーワードに一致する推奨された軌道情報を取得するステップであって、前記履歴軌道情報は、前記クライアントが位置する端末に関する履歴軌道情報、及び前記クライアントが位置する前記端末以外の端末に関する履歴軌道情報を含むステップと、
前記推奨された軌道情報を、前記クライアントにプッシュするステップと
を含むことを特徴とする、方法。
【請求項２】
前記キーワードは、少なくとも２つの対象のポイントを含み、前記履歴軌道情報に従って、前記キーワードに一致する推奨された軌道情報を取得する前記ステップは、
前記対象のポイントと前記履歴軌道情報との間の対応関係に従って、前記少なくとも２つの対象のポイントの各々に対応する履歴軌道情報を取得するステップと、
前記対象のポイントの各々に対応する前記履歴軌道情報に従って、前記少なくとも２つの対象のポイントを同時に含む履歴軌道情報を取得し、前記少なくとも２つの対象のポイントを同時に含む前記履歴軌道情報を、前記推奨された軌道情報とみなすステップと
を含むことを特徴とする、請求項１に記載の方法。
【請求項３】
前記キーワードは、普遍的な要求タイプのキーワードであり、前記履歴軌道情報に従って、前記キーワードに一致する推奨された軌道情報を取得する前記ステップは、
前記キーワードに従って、前記クライアントを使用して、ユーザの要求の軌道タイプを取得するステップと、
前記軌道タイプと前記履歴軌道情報との間の対応関係に従って、前記軌道タイプに対応する履歴軌道情報を取得するステップと、
前記軌道タイプに対応する前記履歴軌道情報から、前記履歴軌道情報の一部、又は前記履歴軌道情報の全てを選択して、前記キーワードに一致する、前記推奨された軌道情報として供給するステップと
を含むことを特徴とする、請求項１に記載の方法。
【請求項４】
少なくとも１つのシナリオタイプの各々に対応するＫ個の履歴軌道情報を取得するステップであって、Ｋは１以上の整数であるステップと、
少なくとも１つの地理的位置に従って、前記シナリオタイプの各々に対応する前記Ｋ個の履歴軌道情報に対して分類処理を実行して、前記地理的位置の各々に対応するＰ個の履歴軌道情報を取得するステップであって、Ｐは１以上、且つＫ以下の整数であるステップと、
前記Ｐ個の履歴軌道情報の各々の重み値を取得するステップと、
前記重み値及び予め設定された重み閾値に従って、前記Ｐ個の履歴軌道情報のうちのＲ個の履歴軌道情報を取得するステップ、又は前記Ｐ個の履歴軌道情報のうち最大重み値を有するＲ個の履歴軌道情報を取得するステップであって、Ｒは１以上、且つＰ以下の整数であるステップと、
前記少なくとも１つのシナリオタイプ、及び前記少なくとも１つの地理的位置に従って、少なくとも１つの軌道タイプを取得し、前記少なくとも１つの軌道タイプ、及び前記Ｒ個の履歴軌道情報に従って、前記軌道タイプと前記履歴軌道情報との間の対応関係を取得するステップ、又は前記Ｒ個の履歴軌道情報に従って、少なくとも１つの対象のポイントを取得し、前記対象のポイントの各々、及び前記Ｒ個の履歴軌道情報に従って、前記対象のポイントと前記履歴軌道情報との間の対応関係を取得するステップと
を更に含むことを特徴とする、請求項２又は３に記載の方法。
【請求項５】
前記推奨された軌道情報を、前記クライアントにプッシュする前記ステップは、
前記推奨された軌道情報の重み値を獲得するステップと、
前記重み値の降順に従って、前記推奨された軌道情報をランク付けして、ランク付け結果を取得するステップと、
前記ランク付け結果を、前記クライアントにプッシュするステップと
を含むことを特徴とする、請求項１に記載の方法。
【請求項６】
軌道情報をプッシュするための装置であって、
クライアントによって送信されたキーワードを受信する受信ユニットと、
履歴軌道情報に従って、前記キーワードに一致する推奨された軌道情報を取得する第１の処理ユニットであって、前記履歴軌道情報は、前記クライアントが位置する端末に関する履歴軌道情報、及び前記クライアントが位置する前記端末以外の端末に関する履歴軌道情報を含む、第１の処理ユニットと、
前記推奨された軌道情報を、前記クライアントにプッシュするプッシュユニットと
を備えることを特徴とする装置。
【請求項７】
前記キーワードは、少なくとも２つの対象のポイントを含み、前記第１の処理ユニットは特に、
前記対象のポイントと前記履歴軌道情報との間の対応関係に従って、前記少なくとも２つの対象のポイントの各々に対応する履歴軌道情報を取得すること、及び
前記対象のポイントの各々に対応する前記履歴軌道情報に従って、前記少なくとも２つの対象のポイントを同時に含む履歴軌道情報を取得し、前記少なくとも２つの対象のポイントを同時に含む前記履歴軌道情報を、前記推奨された軌道情報とみなすこと
に使用されることを特徴とする、請求項６に記載の装置。
【請求項８】
前記キーワードは、普遍的な要求タイプのキーワードであり、前記第１の処理ユニットは特に、
前記キーワードに従って、前記クライアントを使用して、ユーザの要求の軌道タイプを取得すること、
前記軌道タイプと前記履歴軌道情報との間の対応関係に従って、前記軌道タイプに対応する履歴軌道情報を取得すること、及び
前記軌道タイプに対応する前記履歴軌道情報から、前記履歴軌道情報の一部、又は前記履歴軌道情報の全てを選択して、前記キーワードに一致する、前記推奨された軌道情報として供給すること
に使用されることを特徴とする、請求項６に記載の装置。
【請求項９】
少なくとも１つのシナリオタイプの各々に対応するＫ個の履歴軌道情報を取得することであって、Ｋは１以上の整数であること、
少なくとも１つの地理的位置に従って、前記シナリオタイプの各々に対応する前記Ｋ個の履歴軌道情報に対して分類処理を実行して、前記地理的位置の各々に対応するＰ個の履歴軌道情報を取得することであって、Ｐは１以上、且つＫ以下の整数であること、
前記Ｐ個の履歴軌道情報の各々の重み値を取得すること、
前記重み値及び予め設定された重み閾値に従って、前記Ｐ個の履歴軌道情報のうちのＲ個の履歴軌道情報を取得すること、又は前記Ｐ個の履歴軌道情報のうち最大重み値を有するＲ個の履歴軌道情報を取得することであって、Ｒは１以上、且つＰ以下の整数であること、並びに
前記少なくとも１つのシナリオタイプ、及び前記少なくとも１つの地理的位置に従って、少なくとも１つの軌道タイプを取得し、前記少なくとも１つの軌道タイプ、及び前記Ｒ個の履歴軌道情報に従って、前記軌道タイプと前記履歴軌道情報との間の対応関係を取得すること、又は前記Ｒ個の履歴軌道情報に従って、少なくとも１つの対象のポイントを取得し、前記対象のポイントの各々、及び前記Ｒ個の履歴軌道情報に従って、前記対象のポイントと前記履歴軌道情報との間の対応関係を取得すること
を行う第２の処理ユニットを更に備えることを特徴とする、請求項７又は８に記載の装置。
【請求項１０】
前記プッシュユニットは特に、
前記推奨された軌道情報の重み値を獲得すること、
前記重み値の降順に従って、前記推奨された軌道情報をランク付けして、ランク付け結果を取得すること、及び
前記ランク付け結果を、前記クライアントにプッシュすること
に使用されることを特徴とする、請求項６に記載の装置。
【発明の詳細な説明】
【技術分野】
【０００１】
本発明は、測位の技術分野に関し、特に、軌道情報をプッシュするための方法及び装置に関する。
【背景技術】
【０００２】
ユーザは、人生の中で行きたいと望む多くの場所に出会うが、旅行経路をどのように計画するかが分からない。例えば、旅行経路を計画するときに、多くの所望の景勝地が存在するため、旅行経路を計画する必要がある。別の例では、週末に、食事をする、映画を観る、ショッピングに行くなどのために外出するときに、旅行経路を計画する必要がある。
【０００３】
現在、旅行経路を計画するための方法は、ユーザによって選択された対象のポイントに従って、及び最短経路アルゴリズムを使用して、軌道を計画することである。しかしながら、最短経路アルゴリズムを使用することによって取得された軌道のみがユーザに提供される場合、軌道は通常、ユーザが必要とするものではなく、したがって、旅行経路を計画するための現在の方法を使用して取得された軌道情報の信頼性は、比較的低い。
【発明の概要】
【課題を解決するための手段】
【０００４】
そのような理由により、本発明の実施形態は、軌道情報をプッシュするための方法及び装置を提供し、プッシュされた軌道情報の信頼性を高めることができる。
【０００５】
本発明の実施形態は、軌道情報をプッシュするための方法であって、
クライアントによって送信されるキーワードを受信するステップと、
履歴軌道情報に従って、キーワードに一致する推奨された軌道情報を取得するステップであって、履歴軌道情報は、クライアントが位置する端末に関する履歴軌道情報、及びクライアントが位置する端末以外の端末に関する履歴軌道情報を含むステップと、
推奨された軌道情報を、クライアントにプッシュするステップと
を含む方法を提供する。
【０００６】
上述した方法では、キーワードは、少なくとも２つの対象のポイントを含み、履歴軌道情報に従って、キーワードに一致する推奨された軌道情報を取得するステップは、
対象のポイントと履歴軌道情報との間の対応関係に従って、少なくとも２つの対象のポイントの各々に対応する履歴軌道情報を取得するステップと、
対象のポイントの各々に対応する履歴軌道情報に従って、少なくとも２つの対象のポイントを同時に含む履歴軌道情報を取得し、少なくとも２つの対象のポイントを同時に含む履歴軌道情報を、推奨された軌道情報とみなすステップと
を含む。
【０００７】
上述した方法では、キーワードは、普遍的な要求タイプのキーワードであり、履歴軌道情報に従って、キーワードに一致する推奨された軌道情報を取得するステップは、
キーワードに従って、クライアントを使用して、ユーザの要求の軌道タイプを取得するステップと、
軌道タイプと履歴軌道情報との間の対応関係に従って、軌道タイプに対応する履歴軌道情報を取得するステップと、
軌道タイプに対応する履歴軌道情報から、履歴軌道情報の一部、又は履歴軌道情報の全てを選択して、キーワードに一致する推奨された軌道情報として供給するステップと
を含む。
【０００８】
上述した方法では、この方法は更に、
少なくとも１つのシナリオタイプの各々に対応する、Ｋ個の履歴軌道情報を取得するステップであって、Ｋは１以上の整数であるステップと、
少なくとも１つの地理的位置に従って、シナリオタイプの各々に対応するＫ個の履歴軌道情報に対して分類処理を実行して、地理的位置の各々に対応する、Ｐ個の履歴軌道情報を取得するステップであって、Ｐは１以上、且つＫ以下の整数であるステップと、
Ｐ個の履歴軌道情報の各々の重み値を取得するステップと、
重み値及び予め設定された重み閾値に従って、Ｐ個の履歴軌道情報のうちのＲ個の履歴軌道情報を取得するステップ、又はＰ個の履歴軌道情報のうち最大重み値を有するＲ個の履歴軌道情報を取得するステップであって、Ｒは１以上、且つＰ以下の整数であるステップと、
少なくとも１つのシナリオタイプ、及び少なくとも１つの地理的位置に従って、少なくとも１つの軌道タイプを取得し、少なくとも１つの軌道タイプ、及びＲ個の履歴軌道情報に従って、軌道タイプと履歴軌道情報との間の対応関係を取得するステップ、又はＲ個の履歴軌道情報に従って、少なくとも１つの対象のポイントを取得し、対象のポイントの各々、及びＲ個の履歴軌道情報に従って、対象のポイントと履歴軌道情報との間の対応関係を取得するステップと
を含む。
【０００９】
上述した方法では、推奨された軌道情報を、クライアントにプッシュするステップは、
推奨された軌道情報の重み値を獲得するステップと、
重み値の降順に従って、推奨された軌道情報をランク付けして、ランク付け結果を取得するステップと、
ランク付け結果をクライアントにプッシュするステップと
を含む。
【００１０】
本発明の実施形態はまた、軌道情報をプッシュするための装置であって、
クライアントによって送信されたキーワードを受信する受信ユニットと、
履歴軌道情報に従って、キーワードに一致する推奨された軌道情報を取得する第１の処理ユニットであって、履歴軌道情報は、クライアントが位置する端末に関する履歴軌道情報、及びクライアントが位置する端末以外の端末に関する履歴軌道情報を含む、第１の処理ユニットと、
推奨された軌道情報を、クライアントにプッシュするプッシュユニットと
を備える装置を提供する。
【００１１】
上述した装置では、キーワードは、少なくとも２つの対象のポイントを含み、第１の処理ユニットは特に、
対象のポイントと履歴軌道情報との間の対応関係に従って、少なくとも２つの対象のポイントの各々に対応する履歴軌道情報を取得すること、及び
対象のポイントの各々に対応する履歴軌道情報に従って、少なくとも２つの対象のポイントを同時に含む履歴軌道情報を取得し、少なくとも２つの対象のポイントを同時に含む履歴軌道情報を、推奨された軌道情報とみなすこと
に使用される。
【００１２】
上述した装置では、キーワードは、普遍的な要求タイプのキーワードであり、第１の処理ユニットは特に、
キーワードに従って、クライアントのユーザ要求を使用して、軌道タイプを取得すること、
軌道タイプと履歴軌道情報との間の対応関係に従って、軌道タイプに対応する履歴軌道情報を取得すること、及び
軌道タイプに対応する履歴軌道情報から、履歴軌道情報の一部、又は履歴軌道情報の全てを選択して、キーワードに一致する推奨された軌道情報として供給すること
に使用される。
【００１３】
上述した装置では、この装置は第２の処理ユニットを更に備え、
第２の処理ユニットは、少なくとも１つのシナリオタイプの各々に対応する、Ｋ個の履歴軌道情報を取得することであって、Ｋは１以上の整数であること；少なくとも１つの地理的位置に従って、シナリオタイプの各々に対応するＫ個の履歴軌道情報に対して分類処理を実行して、地理的位置の各々に対応するＰ個の履歴軌道情報を取得することであって、Ｐは１以上、且つＫ以下の整数であること；Ｐ個の履歴軌道情報の各々の重み値を取得すること；重み値及び予め設定された重み閾値に従って、Ｐ個の履歴軌道情報のうちのＲ個の履歴軌道情報を取得すること、又はＰ個の履歴軌道情報のうち最大重み値を有するＲ個の履歴軌道情報を取得することであって、Ｒは１以上、且つＰ以下の整数であること；並びに少なくとも１つのシナリオタイプ、及び少なくとも１つの地理的位置に従って、少なくとも１つの軌道タイプを取得し、少なくとも１つの軌道タイプ、及びＲ個の履歴軌道情報に従って、軌道タイプと履歴軌道情報との間の対応関係を取得すること、又はＲ個の履歴軌道情報に従って、少なくとも１つの対象のポイントを取得し、対象のポイントの各々、及びＲ個の履歴軌道情報に従って、対象のポイントと履歴軌道情報との間の対応関係を取得することを行う。
【００１４】
上述した装置では、プッシュユニットは特に、
推奨された軌道情報の重み値を獲得すること、
重み値の降順に従って、推奨された軌道情報をランク付けして、ランク付け結果を取得すること、及び
ランク付け結果をクライアントにプッシュすること
に使用される。
【００１５】
本発明の実施形態が以下のような有意な効果を有することが、上述した技術的解決策から理解することができる。
【００１６】
本発明の実施形態では、クライアント上でのキーワード入力に従って、多数の端末における履歴軌道情報内で検索が実行され、キーワードに一致する推奨された軌道情報を取得し、したがって、従来技術における最短経路アルゴリズムを使用して計画された軌道と比較して、取得した、推奨された軌道情報はリアルな軌道情報であり、本発明の実施形態において提供される技術的解決策における推奨された軌道情報は、ユーザの要求を満たすことができ、したがって、プッシュされた軌道情報の品質を高めることが可能であり、プッシュされた軌道情報の信頼性を高めることが可能である。
【００１７】
本発明の実施形態の技術的解決策をより明確に例示するために、実施形態において使用されるのに必要な添付図面が、以下で簡潔に説明される。明白に、以下の詳細な説明における添付図面は、本発明の一部の実施形態にすぎず、当業者はまた、いかなる発明的努力を伴うことなく、これらの図面から他の図面を得ることができる。
【図面の簡単な説明】
【００１８】
【図１】本発明の実施形態において提供される技術的解決策で使用されるシステムを示す図
【図２】本発明の実施形態において提供される軌道情報をプッシュするための方法の概略的なフローチャート
【図３】本発明の実施形態において提供される軌道情報をプッシュするための装置の機能的ブロック図
【発明を実施するための形態】
【００１９】
本発明の技術的解決策をよりよく理解するために、本発明の実施形態が添付図面とともに以下で詳細に説明される。
【００２０】
説明される実施形態は、実施形態の全てではなく、本発明の実施形態の一部にすぎないことが明確となるはずである。いかなる発明的努力をなすことなく、当業者によって、及び本発明の実施形態に基づいて得られる全ての他の実施形態は、本発明の保護の範囲内となる。
【００２１】
本発明の実施形態において使用される用語は、特定の実施形態を例示する目的のためにあるにすぎず、本発明を限定することを意図するものではない。本発明の実施形態及び特許請求の範囲において使用される単数形の用語「ａ」（「ある」等）、「ｓａｉｄ」及び「ｔｈｅ」（「前記」、「上記の」、「その」等）はまた、文脈において特に明確に指定されない限り、複数形を含むものと意図される。
【００２２】
本明細書における用語「及び／又は（ａｎｄ／ｏｒ）」は、関連付けられたオブジェクトを説明する関連付け関係にすぎず、及び３つの関係が存在してもよいことを示していることが理解されるはずであり、例えば、Ａ及び／又はＢは、Ａが単独で存在し、Ａ及びＢが同時に存在し、Ｂが単独で存在する、３つのケースが存在し得ることを示す。加えて、本明細書における文字「／」は、一般的に、「又は」を示し、関連付けられたオブジェクト間での関係を示す。
【００２３】
本明細書では、用語「〜の場合（ｉｆ）」は、文脈に応じて、「〜のとき（ｗｈｅｎ）」、「〜すると（ｕｐｏｎ）」、「〜を特定したことに応答して（ｉｎ  ｒｅｓｐｏｎｓｅ  ｔｏ  ｄｅｔｅｒｍｉｎｉｎｇ）」、又は「〜を検出したことに応答して（ｉｎ  ｒｅｓｐｏｎｓｅ  ｔｏ  ｄｅｔｅｃｔｉｎｇ）」として解釈されてもよい。同様に、フレーズ「特定される場合（ｉｆ  ｉｔ  ｉｓ  ｄｅｔｅｒｍｉｎｅｄ）」、「（述べられた状態又は事象が）検出される場合（ｉｆ  ｉｔ  ｉｓ  ｄｅｔｅｃｔｅｄ）」は、文脈に応じて、「特定すると（ｕｐｏｎ  ｄｅｔｅｒｍｉｎｉｎｇ）」、「特定したことに応答して（ｉｎ  ｒｅｓｐｏｎｓｅ  ｔｏ  ｄｅｔｅｒｍｉｎｉｎｇ）」、「（述べられた状態又は事象を）検出すると（ｕｐｏｎ  ｄｅｔｅｃｔｉｎｇ）」、又は「（述べられた状態又は事象を）検出したことに応答して（ｉｎ  ｒｅｓｐｏｎｓｅ  ｔｏ  ｄｅｔｅｃｔｉｎｇ）」として解釈されてもよい。
【００２４】
本発明の実施形態において提供される、技術的解決策において使用されるシステムは、主としてクライアント及びサーバで構成された、図１に示されるようになり、本発明の実施形態において提供される方法及び装置は、サーバ側において実装され、クライアントによって送信されたキーワードを受信し、次に、履歴軌道情報に従って、キーワードに一致する推奨された軌道情報を取得し、最後に、取得した、推奨された軌道情報を、クライアントにプッシュするために、主として使用される。クライアントの機能は、本発明の実施形態においては変更されず、すなわち、クライアントはキーワードをサーバに送信し、サーバから送信された、推奨された軌道情報を受信する。クライアントは、地図クライアント、旅行クライアント、又はナビゲーションクライアントを含み得ることが理解できる。クライアントが位置する端末、又は他の端末は、パーソナルコンピュータ（ＰＣ）、ノートブックコンピュータ、携帯電話、又はタブレットコンピュータを含むことができる。
【００２５】
軌道情報をプッシュするための方法は、本発明の実施形態において提供される。本発明の実施形態において提供される、軌道情報をプッシュするための方法の概略フローチャートである図２を参照されたく、図に示すように、本方法は、以下のステップを含む：
Ｓ２０１、クライアントによって送信されたキーワードが受信される。
【００２６】
特に、クライアントは、ユーザによって入力されたキーワードを取得し、次に、キーワードをサーバに送信し、このようにして、サーバは、クライアントによって送信されたキーワードを受信することができる。
【００２７】
好ましくは、キーワードは、少なくとも２つの対象のポイント（ＰＯＩ：ｐｏｉｎｔｓ  ｏｆ  ｉｎｔｅｒｅｓｔ）を含むことができ、例えば、キーワードは、「万里の長城  故宮博物院」とすることができ、このようにして、キーワードは、「万里の長城」及び「故宮博物院」の２つの対象のポイントを含む。代わりに、キーワードは、普遍的な要求タイプのキーワードとすることができ、普遍的な要求タイプのキーワードは、ユーザの要求を示すことができる。例えば、キーワードは、「五道口  エンタテインメント」とすることができ、このキーワードは、ユーザの要求が、ある正確な対象のポイントではないが、あるタイプの対象のポイント又は軌道であることを示し、「五道口  エンタテインメント」は、ユーザの要求が、ＫＴＶ、映画、アーケードなど、五道口のエリアにおけるエンタテインメントであることを示す。
【００２８】
Ｓ２０２、キーワードに一致する推奨された軌道情報が、履歴軌道情報に従って取得され、履歴軌道情報は、クライアントが位置する端末に関する履歴軌道情報、及びクライアントが位置する端末以外の端末に関する履歴軌道情報を含む。
【００２９】
特に、クライアントによって送信されたキーワードを受信した後、サーバは、履歴軌道情報に従って、キーワードに一致する推奨された軌道情報を取得することができる。本発明の実施形態では、履歴軌道情報は、クライアントが位置する端末に関する履歴軌道情報、及びクライアントが位置する端末以外の端末に関する履歴軌道情報を含むことができる。
【００３０】
例として、履歴軌道情報に従って、キーワードに一致する推奨された軌道情報をサーバが取得するための方法は、以下の２つのタイプを含み得る。
【００３１】
第１のタイプ：キーワードが少なくとも２つの対象のポイントを含む場合、サーバは、それら少なくとも２つの対象のポイントに従って、合理的な軌道を計画し、それら少なくとも２つの対象のポイントの間で旅行計画を取得するべきであり、したがって、サーバは最初に、それら少なくとも２つの対象のポイントの各々に従って、かつ対象のポイントと履歴軌道情報との間の対応関係に従って、少なくとも２つの対象のポイントの各々に対応する履歴軌道情報を取得するべきである。その後、サーバは、対象のポイントの各々に対応する履歴軌道情報に従って、上記の少なくとも２つの対象のポイントを同時に含む、履歴軌道情報を取得し、少なくとも２つの対象のポイントを同時に含む履歴軌道情報を、推奨された軌道情報とみなす。
【００３２】
例えば、キーワードが３つの対象のポイント、すなわち、対象のポイント１、対象のポイント２、及び対象のポイント３を含む場合、サーバは、対象のポイント１、対象のポイント２、及び対象のポイント３に従って、対象のポイントと履歴軌道情報との間の対応関係における検索を実行し、それぞれ、一致した履歴軌道情報を取得し、次に、３つの対象のポイントにそれぞれ一致する履歴軌道情報に従って、その中の同一の履歴軌道情報を取得し、したがって、履歴軌道情報は、同時に３つの対象のポイントを含むことになる。
【００３３】
別の例では、３つの対象のポイントを含む履歴軌道情報は、履歴軌道情報が同時に対象のポイント１、対象のポイント２、及び対象のポイント３を含むかぎり、「対象のポイント１→対象のポイント２→対象のポイント３」、「対象のポイント１→対象のポイント２→対象のポイント３→対象のポイント４→対象のポイント５」、「対象のポイント１→対象のポイント３→対象のポイント４→対象のポイント２→対象のポイント５」又は「対象のポイント１→対象のポイント４→対象のポイント２→対象のポイント５→対象のポイント３」など、種々のタイプの履歴軌道情報とすることができ、３つの対象のポイントの順序は考慮されず、３つの対象のポイント間で別の対象のポイントが存在するかは考慮されない。
【００３４】
第２のタイプ：キーワードが普遍的な要求タイプのキーワードである場合、このキーワードは、ユーザの要求を表し、ある特定の対象のポイントに関する推奨された軌道情報を正確には含まず、したがって、キーワードが普遍的な要求タイプのキーワードであるとき、サーバは直接には、キーワードを一致させないが、最初に、キーワードに従って、クライアントを使用してユーザの要求を識別して、クライアントを使用してユーザの要求の軌道タイプを取得する。その後、サーバは、取得した軌道タイプ、及び軌道タイプと履歴軌道情報との対応関係に従って、クライアントを使用して、ユーザの要求の軌道タイプに対応する履歴軌道情報を取得する。最後に、サーバは、軌道タイプに対応する履歴軌道情報から、履歴軌道情報の一部、又は履歴軌道情報の全てを選択して、キーワードに一致する推奨された軌道情報として供給する。
【００３５】
サーバは、意味解析モデルを使用して、サーバによって取得されたキーワードに関する意味解析を実行して、ユーザの要求の軌道タイプを、クライアントを使用して解析することができる。代わりに、サーバは、予め設定されたワード分割辞書を使用して、キーワードに関するワード分割処理を実行して、少なくとも１つの分割ワードを取得し、次に、予め設定された普遍的要求検索用語リストを使用して、少なくとも１つの分割ワードを識別して、ユーザの要求の軌道タイプを、クライアントを使用して識別する。例えば、普遍的要求検索用語リストは、少なくとも１つの軌道タイプ、及び各軌道タイプに対応する少なくとも１つのワードを含むことができる。
【００３６】
例えば、入力キーワードが「五道口  エンタテインメント」である場合、分割ワード「五道口」及び「エンタテインメント」は、ワード分割処理の後に取得され、クライアントを使用して、ユーザの要求を識別した後に、取得される軌道タイプは、「五道口レジャーの軌道」であり得る。
【００３７】
軌道タイプに対応する履歴軌道情報から、履歴軌道情報の一部をサーバが選択するための方法は、サーバが、履歴軌道情報の重み値に従って、取得した履歴軌道情報をランク付けするステップと、最上位にランク付けした履歴軌道情報の一部を選択するステップとを含む。履歴軌道情報の重み値を、発生頻度、更新時間、及び履歴軌道情報のキーワードと一致する程度、の少なくとも１つに従って決定することができる。
【００３８】
上述した２つの方法では、履歴軌道情報を取得する前に、サーバは最初に、軌道タイプと履歴軌道情報との間の対応関係、又は対象のポイントと履歴軌道情報との間の対応関係を取得するべきであることが理解されるはずである。
【００３９】
例として、本発明の実施形態では、軌道タイプと履歴軌道情報との間の対応関係、又は対象のポイントと履歴軌道情報との間の対応関係をサーバが取得するための方法は、以下を含むことができる：
まず第１に、サーバは、少なくとも１つの予め設定されたシナリオタイプ、及びあらかじめ取得された多数の端末に関する履歴軌道情報に従って、上記の少なくとも１つのシナリオタイプの各々のシナリオタイプに対応する、Ｋ個の履歴軌道情報を取得し、Ｋは１以上の整数である。
【００４０】
例えば、旅行経路の計画を実現することが要求され、及び対応するシナリオタイプが旅行の軌道である場合、サーバは、大量の履歴軌道情報において、景勝地のタイプの対象のポイントを含む履歴軌道情報、又は景勝地及びホテルのタイプの対象のポイントを含む履歴軌道情報を選択する。
【００４１】
別の例では、週末のレジャー旅行の計画を実現することが要求され、及び対応するシナリオタイプがレジャーの軌道である場合、サーバは、大量の履歴軌道情報において、映画、ＫＴＶ又はレストランを含む履歴軌道情報などの、ケータリング（ｃａｔｅｒｉｎｇ）及び／又はエンタテインメントのタイプの対象のポイントを含む履歴軌道情報を選択する。
【００４２】
履歴軌道情報は、クライアントが位置する端末に関する履歴軌道情報、及びクライアントが位置する端末以外の端末に関する履歴軌道情報を含むことができる。
【００４３】
各々の履歴軌道情報は、少なくとも２つの対象のポイント、及び少なくとも２つの対象のポイント上で停止する端末の順序（ｓｅｑｕｅｎｃｅ）を含むことができ、並びに端末が対象のポイントの各々で停止する時点、及び／又は端末が対象のポイントの各々で停止する期間（ｄｕｒａｔｉｏｎ）も含むことができる。
【００４４】
例えば、履歴軌道情報は、「対象のポイント１→対象のポイント２→対象のポイント３」とすることができ、それは、端末が最初に、対象のポイント１で停止し、次に、対象のポイント１から対象のポイント２に行き、対象のポイント２で停止し、次に、対象のポイント２から対象のポイント３に行き、対象のポイント３で停止することを示す。
【００４５】
あらかじめ、多数の端末に関する履歴軌道情報をサーバが取得するための方法は、サーバが、大量の測位データ、端末の識別子、及び測位の時点に従って、各端末の測位データに関する集約処理を実行するものであってもよく、それにより、各端末の少なくとも１つの移動の軌道を取得することができる。その後、サーバは、各端末の少なくとも１つの移動の軌道において、各移動の軌道上での停止位置の識別処理を実行して、停止位置を含む移動の軌道を取得する。停止位置を含む移動の軌道に対し、サーバは、停止位置の各々に対応する対象のポイントを取得し、移動の軌道及び移動の軌道における対象のポイントに従って、端末に関する履歴軌道情報を取得する。サーバは、多数の端末の各端末に関し、取得した履歴軌道情報を記憶することができ、及び履歴軌道情報を使用する必要があるときに、記憶した履歴軌道情報を直接使用することができる。
【００４６】
その後、サーバは、少なくとも１つの地理的位置、及び上記取得したシナリオタイプの各々に対応するＫ個の履歴軌道情報に従って、シナリオタイプの各々に対応するＫ個の履歴軌道情報に関する分類処理を実行して、地理的位置の各々に対応するＰ個の履歴軌道情報を取得し、Ｐは１以上、且つＫ以下の整数であり、このようにして、サーバは、シナリオタイプの各々の下で、少なくとも１つの地理的位置の各々に対応する履歴軌道情報を取得することができる。
【００４７】
例えば、都市を単位として、シナリオタイプが旅行の軌道である、履歴軌道情報に関して、分類処理を実行して、各都市の旅行の軌道タイプに対応する履歴軌道情報を取得することができる。
【００４８】
別の例では、ユーザの週末のレジャー活動は通常、ビジネスエリアの近くであり、したがって、シナリオタイプがレジャーの軌道である、履歴軌道情報上のビジネスエリアの単位で、分類処理を実行して、各ビジネスエリアのレジャーの軌道タイプに対応する履歴軌道情報を取得することができる。
【００４９】
次に、シナリオタイプの各々の下で、少なくとも１つの地理的位置の各地理的位置に対応するＰ個の履歴軌道情報に対し、サーバは、Ｐ個の履歴軌道情報の各々の重み値を取得する。サーバは、発生頻度、更新時間、及び履歴軌道情報のキーワードに一致する程度、の少なくとも１つの情報に従って、履歴軌道情報の重み値を取得することができる。
【００５０】
Ｐ個の履歴軌道情報の各々の履歴軌道情報の重み値を取得した後、サーバは、重み値及び予め設定された重み閾値θ１に従って、Ｐ個の履歴軌道情報のうちのＲ個の履歴軌道情報を取得することができ、Ｒ個の履歴軌道情報の重み値は、重み閾値θ１以上である。あるいは、サーバは、重み値の降順に従って、及びランク付け結果に従って、Ｐ個の履歴軌道情報をランク付けし、Ｐ個の履歴軌道情報の最大重み値を有するＲ個の履歴軌道情報を取得し、Ｒは１以上、且つＰ以下の整数である。
【００５１】
より大きい重み値を有する履歴軌道情報を取得する目的が、大量の履歴軌道情報から、価値があり且つ高品質の履歴軌道情報を発掘することであることが理解されるべきであり、このようにして、履歴軌道情報が、推奨された軌道情報としてユーザに推奨される場合のみに、ユーザ要求を満たすことができ、発生頻度が小さい履歴軌道情報は、それは、十分に一般的なものではないので、高品質の推奨された軌道情報としてユーザに推奨することができない。
【００５２】
最後に、サーバは、少なくとも１つのシナリオタイプ、及び少なくとも１つの地理的位置に従って、少なくとも１つの軌道タイプを取得し、その少なくとも１つの軌道タイプ、及びＲ個の履歴軌道情報に従って、軌道タイプと履歴軌道情報との間の対応関係を取得する。
【００５３】
例えば、「旅行の軌道」のシナリオタイプ、及び「北京」及び「西安」の地理的位置に従って、「北京旅行の軌道」及び「西安旅行の軌道」の軌道タイプを取得することができる。
【００５４】
別の例では、シナリオタイプ「レジャーの軌道」、及び「五道口」及び「西単」の地理的位置に従って、「五道口レジャーの軌道」及び「西単レジャーの軌道」の軌道タイプを取得することができる。
【００５５】
あるいは、サーバは、Ｒ個の履歴軌道情報に従って、各々の履歴軌道情報に含まれる少なくとも１つの対象のポイントを取得し、次に、サーバは、各々の履歴軌道情報に含まれる少なくとも１つの対象のポイントに従って、対象のポイントに関する反復排除処理を実行して、対象のポイントの組を取得し、最後に、サーバは、対象のポイントの組における対象のポイントの各々、及び取得したＲ個の履歴軌道情報に従って、対象のポイントと履歴軌道情報との間の対応関係を取得する。対象のポイントに対応する履歴軌道情報は、対象のポイントを含む履歴軌道情報を指す。加えて、対象のポイントの各々は、少なくとも１つの履歴軌道情報に対応することができる。
【００５６】
サーバは、取得した、軌道タイプと履歴軌道情報との間の対応関係、及び／又は対象のポイントと履歴軌道情報との間の対応関係をローカルに記憶することができる。
【００５７】
サーバはまた、予め設定された周期に従って、軌道タイプと履歴軌道情報との間の対応関係、及び／又は対象のポイントと履歴軌道情報との間の対応関係を取得する上記処理を繰り返し実行して、対応関係の定期的な更新を実現することができる。
【００５８】
Ｓ２０３、推奨された軌道情報は、クライアントにプッシュされる。
【００５９】
特に、推奨された軌道情報を取得した後、サーバは、発生頻度、更新時間、及び推奨された軌道情報のキーワードに一致する程度、の少なくとも１つの情報に従って、推奨された軌道情報の重み値を取得することができる。その後、サーバは、重み値の降順に従って、推奨された軌道情報をランク付けして、ランク付け結果を取得し、最後に、サーバは、ランク付け結果をクライアントにプッシュする。サーバからランク付け結果を受信した後、クライアントは、ランク付け結果を表示することができ、このようにして、ユーザは、サーバによってプッシュされた、推奨された軌道情報を見ることができる。
【００６０】
加えて、サーバはまた、ランク付け結果に関するさらなるスクリーニングを実行し、及び／又は、ユーザによって更に入力されたキーワード、例えば、旅行日数、価格などに従って、ランク付け結果を再びランク付けすることができる。
【００６１】
本発明の実施形態は更に、上述した方法の実施形態における各ステップ及び方法を実装するための、装置の実施形態を提供する。
【００６２】
本発明の実施形態において提供される、軌道情報をプッシュするための装置の機能的ブロック図である、図３を参照されたい。図で示されるように、装置は、
クライアントによって送信されたキーワードを受信する受信ユニット３０１と、
履歴軌道情報に従って、キーワードに一致する推奨された軌道情報を取得する第１の処理ユニット３０２であって、履歴軌道情報は、クライアントが位置する端末に関する履歴軌道情報、及びクライアントが位置する端末以外の端末に関する履歴軌道情報を含む、第１の処理ユニット３０２と、
推奨された軌道情報をクライアントにプッシュするプッシュユニット３０３と
を備える。
【００６３】
好ましくは、キーワードは、少なくとも２つの対象のポイントを含み、第１の処理ユニット３０２は特に、
対象のポイントと履歴軌道情報との間の対応関係に従って、少なくとも２つの対象のポイントの各々に対応する履歴軌道情報を取得すること、及び
対象のポイントの各々に対応する履歴軌道情報に従って、上記の少なくとも２つの対象のポイントを同時に含む履歴軌道情報を取得し、それら少なくとも２つの対象のポイントを同時に含む履歴軌道情報を、推奨された軌道情報としてみなすこと
に使用される。
【００６４】
好ましくは、キーワードは、普遍的な要求タイプのキーワードであり、第１の処理ユニット３０２は特に、
キーワードに従って、クライアントを使用して、ユーザの要求の軌道タイプを取得すること、
軌道タイプと履歴軌道情報との間の対応関係に従って、軌道タイプに対応する履歴軌道情報を取得すること、及び
軌道タイプに対応する履歴軌道情報から、履歴軌道情報の一部、又は履歴軌道情報の全てを選択して、キーワードに一致する推奨された軌道情報として供給すること
に使用される。
【００６５】
任意選択により、装置は第２の処理ユニット３０４を更に備え、
第２の処理ユニット３０４は、少なくとも１つのシナリオタイプの各々に対応する、Ｋ個の履歴軌道情報を取得することであって、Ｋは１以上の整数であること；少なくとも１つの地理的位置に従って、シナリオタイプの各々に対応するＫ個の履歴軌道情報に関する分類処理を実行して、地理的位置の各々に対応するＰ個の履歴軌道情報を取得することであって、Ｐは１以上、且つＫ以下の整数であること；Ｐ個の履歴軌道情報の各々の履歴軌道情報の重み値を取得すること；重み値及び予め設定された重み閾値に従って、Ｐ個の履歴軌道情報のうちのＲ個の履歴軌道情報を取得すること；又はＰ個の履歴軌道情報のうち最大重み値を有するＲ個の履歴軌道情報を取得することであって、Ｒは１以上、且つＰ以下の整数であること；並びに少なくとも１つのシナリオタイプ、及び少なくとも１つの地理的位置に従って、少なくとも１つの軌道タイプを取得し、少なくとも１つの軌道タイプ、及びＲ個の履歴軌道情報に従って、軌道タイプと履歴軌道情報との間の対応関係を取得すること；又はＲ個の履歴軌道情報に従って、少なくとも１つの対象のポイントを取得し、対象のポイントの各々、及びＲ個の履歴軌道情報に従って、対象のポイントと履歴軌道情報との間の対応関係を取得することを行う。
【００６６】
好ましくは、プッシュユニット３０３は特に、
推奨された軌道情報の重み値を獲得すること、
重み値の降順に従って、推奨された軌道情報をランク付けして、ランク付け結果を取得すること、及び
ランク付け結果をクライアントにプッシュすること
に使用される。
【００６７】
この実施形態における種々のユニットが、図２に示される方法を実行することができるので、この実施形態において詳細に説明されていない部分に対し、図２についての関係する説明への参照をなすことができる。
【００６８】
本発明の実施形態の技術的解決策は、以下の有意な効果を有する。
【００６９】
本発明の実施形態では、クライアント上で入力されたキーワードに従って、多数の端末における履歴軌道情報内で検索が実行されて、キーワードに一致する推奨された軌道情報を取得し、したがって、取得した、推奨された軌道情報は、従来技術における最短経路アルゴリズムを使用して計画された軌道と比較して、リアルな軌道情報であり、本発明の実施形態において提供される技術的解決策において推奨された軌道情報は、ユーザの要求を満たすことができ、したがって、プッシュされた軌道情報の品質を高め、プッシュされた軌道情報の信頼性を高めることが可能となる。
【００７０】
当業者は、説明の便宜及び簡潔のために、上記システム、装置、及びユニットの特定の動作処理は、本明細書で説明されない、方法の実施形態における対応する処理を参照してもよいことを明確に理解するであろう。
【００７１】
本発明において提供される幾つかの実施形態において、開示されるシステム、装置及び方法は、他の形式において実装されてもよいことが理解されるはずである。例えば、上記説明された装置の実施形態は、例示的なものにすぎない。例えば、ユニットの分割は、論理機能分割にすぎず、実際の実装の際は、他の分割の形式が存在してもよい。例えば、複数のユニット若しくはコンポーネントが組み合わされて、又は別のシステムに統合されてもよく、或いは、一部の要素が省略され、又は実行されなくてもよい。別の観点では、示され又は考察された結合若しくは直接結合、又はそれらの間の通信接続は、何らかのインタフェース、装置若しくはユニットを介した間接結合若しくは通信接続であってもよく、又は電気的、機械的若しくは他の形式であってもよい。
【００７２】
別個のコンポーネントとして説明されたユニットは、物理的に分離しても又は分離しなくてもよく、ユニットとして表示されたコンポーネントは、物理的なユニットであっても又はそうでなくてもよく、すなわち、それらは、１つの位置に位置しても又は複数のネットワーク要素上で分散してもよい。ユニットの一部又は全ては、本実施形態の解決策の目的を達成するための実際の必要性に従って選択されてもよい。
【００７３】
加えて、本発明の種々の実施形態における種々の機能的ユニットは、１つの処理ユニットに統合されてもよく、ユニットの各々はまた、物理的に単独で存在してもよく、又は２つ以上のユニットはまた、１つのユニットに統合されてもよい。上記統合されたユニットは、ハードウェアの形式で実装されてもよく、又は機能的ソフトウェアユニットを有するハードウェアの形式で実装されてもよい。
【００７４】
機能的ソフトウェアユニットによって実装された統合ユニットは、コンピュータ可読記憶媒体に記憶されてもよい。機能的ソフトウェアユニットは、記憶媒体に記憶され、コンピュータ装置（パーソナルコンピュータ、サーバ、又はネットワーク装置などとすることができる）又はプロセッサが本発明の実施形態において説明された方法のステップを実行することを可能にするための、幾つかの命令を含む。上述した記憶媒体は、Ｕ−ディスク、リムーバブルハードディスク、読み取り専用メモリ（ＲＯＭ）、ランダムアクセスメモリ（ＲＡＭ）、磁気ディスク、又は光ディスクなどの、プログラムコードを記憶することができる種々の媒体を含む。
【００７５】
上述したことは、本発明の好ましい実施形態にすぎず、本発明を限定することを意図するものではない。本発明の精神及び原理から逸脱することなくなされた任意の変更、均等物との置換、又は改良が、本発明の保護の範囲に入るはずである。
【００７６】
種々の実施形態の態様が、特許請求の範囲において指定される。これらの及び他の、種々の実施形態の態様が、以下の番号が付された条項において指定される。
【００７７】
１．軌道情報をプッシュするための方法であって、
クライアントによって送信されたキーワードを受信するステップと、
履歴軌道情報に従って、前記キーワードに一致する推奨された軌道情報を取得するステップであって、前記履歴軌道情報は、前記クライアントが位置する端末に関する履歴軌道情報、及び前記クライアントが位置する前記端末以外の端末に関する履歴軌道情報を含むステップと、
前記推奨された軌道情報を、前記クライアントにプッシュするステップと
を含むことを特徴とする方法。
【００７８】
２．前記キーワードは、少なくとも２つの対象のポイントを含み、前記履歴軌道情報に従って、前記キーワードに一致する推奨された軌道情報を取得する前記ステップは、
前記対象のポイントと前記履歴軌道情報との間の対応関係に従って、前記少なくとも２つの対象のポイントの各々に対応する履歴軌道情報を取得するステップと、
前記対象のポイントの各々に対応する前記履歴軌道情報に従って、前記少なくとも２つの対象のポイントを同時に含む履歴軌道情報を取得し、前記少なくとも２つの対象のポイントを同時に含む前記履歴軌道情報を、前記推奨された軌道情報とみなすステップと
を含むことを特徴とする、条項１に記載の方法。
【００７９】
３．前記キーワードは、普遍的な要求タイプのキーワードであり、前記履歴軌道情報に従って、前記キーワードに一致する推奨された軌道情報を取得する前記ステップは、
前記キーワードに従って、前記クライアントを使用して、ユーザの要求の軌道タイプを取得するステップと、
前記軌道タイプと前記履歴軌道情報との間の対応関係に従って、前記軌道タイプに対応する履歴軌道情報を取得するステップと、
前記軌道タイプに対応する前記履歴軌道情報から、前記履歴軌道情報の一部、又は前記履歴軌道情報の全てを選択して、前記キーワードに一致する、前記推奨された軌道情報として供給するステップと
を含むことを特徴とする、条項１に記載の方法。
【００８０】
４．  少なくとも１つのシナリオタイプの各々に対応するＫ個の履歴軌道情報を取得するステップであって、Ｋは１以上の整数であるステップと、
少なくとも１つの地理的位置に従って、前記シナリオタイプの各々に対応する前記Ｋ個の履歴軌道情報に対して分類処理を実行して、前記地理的位置の各々に対応するＰ個の履歴軌道情報を取得するステップであって、Ｐは１以上、且つＫ以下の整数であるステップと、
前記Ｐ個の履歴軌道情報の各々の重み値を取得するステップと、
前記重み値及び予め設定された重み閾値に従って、前記Ｐ個の履歴軌道情報のうちのＲ個の履歴軌道情報を取得するステップ、又は前記Ｐ個の履歴軌道情報のうち最大重み値を有するＲ個の履歴軌道情報を取得するステップであって、Ｒは１以上、且つＰ以下の整数であるステップと、
前記少なくとも１つのシナリオタイプ、及び前記少なくとも１つの地理的位置に従って、少なくとも１つの軌道タイプを取得し、前記少なくとも１つの軌道タイプ、及び前記Ｒ個の履歴軌道情報に従って、前記軌道タイプと前記履歴軌道情報との間の対応関係を取得するステップ、又は前記Ｒ個の履歴軌道情報に従って、少なくとも１つの対象のポイントを取得し、記対象のポイントの各々、及び前記Ｒ個の履歴軌道情報に従って、前記対象のポイントと前記履歴軌道情報との間の対応関係を取得するステップと
を更に含むことを特徴とする、条項２又は３に記載の方法。
【００８１】
５．前記推奨された軌道情報を、前記クライアントにプッシュする前記ステップは、
前記推奨された軌道情報の重み値を獲得するステップと、
前記重み値の降順に従って、前記推奨された軌道情報をランク付けして、ランク付け結果を取得するステップと、
前記ランク付け結果を、前記クライアントにプッシュするステップと
を含むことを特徴とする、条項１に記載の方法。
【００８２】
６．軌道情報をプッシュするための装置であって、
クライアントによって送信されたキーワードを受信する受信ユニットと、
履歴軌道情報に従って、前記キーワードに一致する推奨された軌道情報を取得する第１の処理ユニットであって、前記履歴軌道情報は、前記クライアントが位置する端末に関する履歴軌道情報、及び前記クライアントが位置する前記端末以外の端末に関する履歴軌道情報を含む、第１の処理ユニットと、
前記推奨された軌道情報を、前記クライアントにプッシュするプッシュユニットと
を備えることを特徴とする、装置。
【００８３】
７．前記キーワードは、少なくとも２つの対象のポイントを含み、前記第１の処理ユニットは特に、
前記対象のポイントと前記履歴軌道情報との間の対応関係に従って、前記少なくとも２つの対象のポイントの各々に対応する履歴軌道情報を取得すること、及び
前記対象のポイントの各々に対応する前記履歴軌道情報に従って、前記少なくとも２つの対象のポイントを同時に含む履歴軌道情報を取得し、前記少なくとも２つの対象のポイントを同時に含む前記履歴軌道情報を、前記推奨された軌道情報とみなすこと
に使用されることを特徴とする、条項６に記載の装置。
【００８４】
８．前記キーワードは、普遍的な要求タイプのキーワードであり、前記第１の処理ユニットは特に、
前記キーワードに従って、前記クライアントを使用して、ユーザの要求の軌道タイプを取得すること、
前記軌道タイプと前記履歴軌道情報との間の対応関係に従って、前記軌道タイプに対応する履歴軌道情報を取得すること、及び
前記軌道タイプに対応する前記履歴軌道情報から、前記履歴軌道情報の一部、又は前記履歴軌道情報の全てを選択して、前記キーワードに一致する、前記推奨された軌道情報として供給すること
に使用されることを特徴とする、条項６に記載の装置。
【００８５】
９．  少なくとも１つのシナリオタイプの各々に対応するＫ個の履歴軌道情報を取得することであって、Ｋは１以上の整数であること、
少なくとも１つの地理的位置に従って、前記シナリオタイプの各々に対応する前記Ｋ個の履歴軌道情報に対して分類処理を実行して、前記地理的位置の各々に対応するＰ個の履歴軌道情報を取得することであって、Ｐは１以上、且つＫ以下の整数であること、
前記Ｐ個の履歴軌道情報の各々の重み値を取得すること、
前記重み値及び予め設定された重み閾値に従って、前記Ｐ個の履歴軌道情報のうちのＲ個の履歴軌道情報を取得すること、又は前記Ｐ個の履歴軌道情報のうち最大重み値を有するＲ個の履歴軌道情報を取得することであって、Ｒは１以上、且つＰ以下の整数であること、並びに
前記少なくとも１つのシナリオタイプ、及び前記少なくとも１つの地理的位置に従って、少なくとも１つの軌道タイプを取得し、前記少なくとも１つの軌道タイプ、及び前記Ｒ個の履歴軌道情報に従って、前記軌道タイプと前記履歴軌道情報との間の対応関係を取得すること、又は前記Ｒ個の履歴軌道情報に従って、少なくとも１つの対象のポイントを取得し、前記対象のポイントの各々、及び前記Ｒ個の履歴軌道情報に従って、前記対象のポイントと前記履歴軌道情報との間の対応関係を取得すること
を行う第２の処理ユニットを更に備えることを特徴とする、条項７又は８に記載の装置。
【００８６】
１０．前記プッシュユニットは特に、
前記推奨された軌道情報の重み値を獲得すること、
前記重み値の降順に従って、前記推奨された軌道情報をランク付けして、ランク付け結果を取得すること、及び
前記ランク付け結果を、前記クライアントにプッシュすること
に使用されることを特徴とする、条項６に記載の装置。
【符号の説明】
【００８７】
３０１  受信ユニット
３０２  第１の処理ユニット
３０３  プッシュユニット
３０４  第２の処理ユニット
【図１】
2016024807.tif 000003
【図２】
2016024807.tif 000004
【図３】
2016024807.tif 000005
【外国語明細書】
2016024807000001.pdf